(57)【要約】【課題】ガイドを伴った切断を軒樋の周方向に亙って行わせることができ、且つ軒樋の仕上り良い切断も確保できる軒樋切断治具を提供する。【解決手段】軒樋２の長手方向の任意位置に軒樋２の周方向に亙って軒樋２の外側に被着するガイド部材３と、軒樋２を切断する電動鋸４のベース板５に着脱自在に装着する被ガイド部材６とで構成される軒樋切断治具１である。ガイド部材３の幅方向の両端縁にガイド部材３の周方向に亙るガイド壁７を外方に向けて立設する。対向する両ガイド壁７に囲まれて外方に開口せる摺動溝８をガイド部材３の周方向に亙って形成する。被ガイド部材６が電動鋸４の切断刃９の側方に位置するように電動鋸４のベース板５に被ガイド部材６を取り付ける。被ガイド部材６の幅寸法Ａを両ガイド壁７の対向寸法Ｂと略同寸法に形成して被ガイド部材６を摺動溝８内に摺動自在に挿入し得るようにした。【選択図】        図１
2005016115.tif 000002
【特許請求の範囲】
【請求項１】
軒樋の長手方向の任意位置に軒樋の周方向に亙って軒樋の外側に被着するガイド部材と、軒樋を切断する電動鋸のベース板に着脱自在に装着する被ガイド部材とで構成される軒樋切断治具であって、ガイド部材の幅方向の両端縁にガイド部材の周方向に亙るガイド壁を外方に向けて立設し、対向する両ガイド壁に囲まれて外方に開口せる摺動溝をガイド部材の周方向に亙って形成し、被ガイド部材が電動鋸の切断刃の側方に位置するように電動鋸のベース板に被ガイド部材を取り付け、この被ガイド部材の幅寸法を両ガイド壁の対向寸法と略同寸法に形成して被ガイド部材を摺動溝内に摺動自在に挿入し得るようにしたことを特徴とする軒樋切断治具。
【請求項２】
摺動溝の溝底となる溝底片をガイド部材の周方向に亙って形成し、この溝底片を１つの山型円弧状に形成したことを特徴とする請求項１記載の軒樋切断治具。
【発明の詳細な説明】
【０００１】
【発明の属する技術分野】
本発明は、軒樋切断治具に関する発明である。
【０００２】
【従来の技術】
従来から、軒樋の長手方向の任意位置で軒樋を切断するには、軒樋の長手方向の任意位置にガイド部材を被着し、電動鋸のような切断具の切断刃をこのガイド部材にガイドさせて軒樋を切断することが行われている（たとえば、特許文献１，２参照）。詳しくは、特許文献１では、図９のように軒樋２（図１０参照）の外形形状に合わせたガイド部材３を軒樋２の外側を覆うようにして軒樋２の長手方向の任意位置に取り付け、ガイド部材３の幅方向の側縁に軒樋２の周方向に亙り且つ軒樋２の外方に突出した側壁１５を立設し、切断具の切断刃をこの側壁１５に沿わせて軒樋２を切断させている。また、特許文献２では、図１０のように軒樋２の外形形状に合わせたガイド部材３を軒樋２の外側を覆うようにして軒樋２の長手方向の任意位置に取り付け、ガイド部材３に軒樋２の周方向に略亙るスリット１６を穿設し、このスリット１６内に切断具の切断刃を挿入してスリット１６に沿わせて軒樋２を切断させている。
【０００３】
【特許文献１】
特開２００３−９７００２号公報
【特許文献２】
特開２００２−３０７３８１号公報
【０００４】
【発明が解決しようとする課題】
しかしながら、これらガイド部材３を用いて行う軒樋２の切断にあっては、図９のものでは何かの拍子でガイド部材３の側壁１５から離れるように切断具の切断刃がずれてしまうこともあり、この場合には軒樋の切り口が乱れて形成されてしまうのであり、また図１０のものではガイド部材３の周方向の端部部位では構造的にスリット１６が穿設できないので、軒樋２の周方向の端部部位ではガイド部材３のガイドを伴った切断はできなく、つまり軒樋２の周方向の端部部位で軒樋２の切り口の仕上りが悪く形成される恐れがある。
【０００５】
本発明は上記の点に鑑みてなされたものであり、ガイドを伴った切断を軒樋の周方向に亙って行わせることができ、且つ軒樋の仕上り良い切断も確保できる軒樋切断治具を提供することを課題とするものである。
【０００６】
【課題を解決するための手段】
上記課題を解決するために本発明に係る軒樋切断治具は、軒樋２の長手方向の任意位置に軒樋２の周方向に亙って軒樋２の外側に被着するガイド部材３と、軒樋２を切断する電動鋸４のベース板５に着脱自在に装着する被ガイド部材６とで構成される軒樋切断治具１であって、ガイド部材３の幅方向の両端縁にガイド部材３の周方向に亙るガイド壁７を外方に向けて立設し、対向する両ガイド壁７に囲まれて外方に開口せる摺動溝８をガイド部材３の周方向に亙って形成し、被ガイド部材６が電動鋸４の切断刃９の側方に位置するように電動鋸４のベース板５に被ガイド部材６を取り付け、この被ガイド部材６の幅寸法Ａを両ガイド壁７の対向寸法Ｂと略同寸法に形成して被ガイド部材６を摺動溝８内に摺動自在に挿入し得るようにしたことを特徴とする。
【０００７】
これによると、軒樋２の切断は、電動鋸４に取付けた被ガイド部材６をガイド部材３の摺動溝８に挿入して摺動させることで切断刃９のガイドが為されて行われるのであるが、この摺動溝８はガイド部材３の周方向に亙って形成してあるので、ガイドを伴った切断を軒樋２の周方向に亙って行わせることができ、また、被ガイド部材６の幅寸法Ａが摺動溝８の溝壁を構成する両ガイド壁７の対向寸法Ｂと略同寸法に形成されているので、ガタつき無く被ガイド部材６を摺動溝８に摺動させることができて、電動鋸４の切断刃９に強い指向性を伴った安定したガイドを施すことができ、これにより軒樋２の仕上り良い切断を確保できる。
【０００８】
また、摺動溝８の溝底となる溝底片１０をガイド部材３の周方向に亙って形成し、この溝底片１０を１つの山型円弧状に形成したことも好ましい。これによると、１つの山型円弧状に形成された溝底片１０に沿わせて被ガイド部材６を摺動溝８に摺動させることができ、つまりその摺動途中では被ガイド部材６の摺動溝８への挿入角度を急激に変化させることが無くなり、滑らかに摺動させることができて軒樋２を作業性良く切断させることができる。なお、これは、断面角型の軒樋２の形状に合わせてガイド部材３が形成されて、摺動溝８の周方向の途中に軒樋２の角部に対応する角部分があって被ガイド部材６の摺動溝８への挿入角度をこの角部分で急激に変化させねばならないといった困難な切断作業が必要とされる場合に、特に有効である。
【０００９】
【発明の実施の形態】
以下、本発明を添付図面に示す実施形態に基づいて説明する。
【００１０】
図１乃至図７に本発明の実施の形態の例を示す。本例の軒樋切断治具１は、角型の軒樋２をその長手方向の任意位置で精度良く切断するために用いられるものであり、軒樋２の長手方向の任意位置に軒樋２の周方向に亙って軒樋２の外側に被着するガイド部材３と、軒樋２を切断する電動鋸４のベース板５に着脱自在に装着する被ガイド部材６とで構成されている。
【００１１】
ここで、角型の軒樋２は、図１のように、水平板状の底壁２１の前端から前壁２２が上方に立設し、この底壁２１の後端から後壁２３が上方に立設して形成された断面略Ｕ字状の軒樋２である。前壁２２と後壁２３とは対向しており、前壁２２の上端には後方に向けて突出した前耳部２４が形成され、後壁２３の上端には前方に向けて突出した後耳部２５が形成されている。また本例の軒樋２では、前壁２２と底壁２１との間に軒樋２の内方に突出した段部２６が形成されている。なお、前壁２２から底壁２１を介して後壁２３に至る方向を軒樋２の周方向という。この軒樋２の周方向は軒樋２の長手方向とは略直交する方向である。
【００１２】
軒樋切断治具１を構成せるガイド部材３は、図２，３のように、軒樋２の長手方向の任意位置に軒樋２の周方向に亙って軒樋２の外側に被着するガイド部材本体３０を有し、このガイド部材本体３０の幅方向の両側縁にガイド部材３の周方向に亙るガイド壁７が外方に向けてそれぞれ立設されている。
【００１３】
ここで、ガイド部材本体３０は一定の幅寸法を有し且つ軒樋２の外形形状（断面形状）に合わせた板状のものであり、具体的には、軒樋２の底壁２１の外側を被覆する底壁被覆部３１、軒樋２の前壁２２の外側を被覆する前壁被覆部３２、軒樋２の後壁２３の外側を被覆する後壁被覆部３３をガイド部材本体３０の周方向に連設し、軒樋２の前耳部２４を引掛ける前耳フック３４を前壁被覆部３２の上端に形成すると共に、軒樋２の後耳部２５を引掛ける後耳フック３５を後壁被覆部３３の上端に形成して構成されている。なお、底壁被覆部３１と前壁被覆部３２との間には軒樋の段部２６の外側を被覆する段部被覆部３６が形成されている。しかして、このガイド部材本体３０は、連設した底壁被覆部３１、前壁被覆部３２及び後壁被覆部３３で囲まれたガイド部材本体３０の内方空間に、ガイド部材本体３０の幅方向と軒樋２の長手方向を合わせるようにして軒樋２を位置して取り付けできるようにされている。なお、上述したようにガイド部材本体３０内に軒樋２を位置したときには、前耳フック３４が前耳部２４と係合すると共に後耳フック３５が後耳部２５と係合するので、ガイド部材３と軒樋２との取付状態が維持できるようにされている。
【００１４】
また、このガイド部材３では、上述のように幅方向に一定の間隔を有して並設したガイド壁７がガイド部材３の周方向に亙って形成されているが、この一対のガイド壁７及びガイド部材本体３０の外面にて囲まれた部位は摺動溝８を構成している。つまり、摺動溝８は、平行した一対のガイド壁７が溝壁をガイド部材本体３０の外面が溝底を構成し、ガイド部材３の外方に開口してガイド部材３の周方向に亙って直線状に形成された溝である。
【００１５】
また、上記ガイド部材３と共に軒樋切断治具１を構成せる被ガイド部材６は、図４のように、摺動溝８に挿入して摺動させる長板状の部材であり、電動鋸４のベース板５に取り付ける取付部１１を付設して構成されている。なおここで、電動鋸４は、図１，６のように、周縁に亙って上方に屈曲したフランジ５ａを有する矩形板状のベース板５を備えている。このベース板５の左右方向の中央から偏った位置から下方に貫通させるように切断刃９が配置されている。この切断刃９は円盤状であり、その円盤面はベース板５の左右方向に向くようにされている。またベース板５の前端部分の左右のフランジ５ａの対面位置にはそれぞれ貫通孔１２が穿孔され、上記一対の貫通孔１２を結ぶ線の中間部分に上下に螺進可能な取付ネジ１３が配設されている。この電動鋸４は、ベース板５の左右方向を軒樋２の長手方向と同方向に向けることで、軒樋２の周方向に切断刃９の切断端面を向けて軒樋２の周方向に軒樋２を切断するものである。上記被ガイド部材６に付設した取付部１１は、ベース板５の対向する貫通孔１２に挿通させる長板状の上板１１ａと、上板１１ａから下方に１８０°折返されてベース板５の下面に沿わせて被ガイド部材６を取付ける下板１１ｂとで構成されている。また、長板状の被ガイド部材６はその幅寸法Ａが両ガイド壁７の対向寸法Ｂと略同寸法に形成され（図７）、その前端近傍の上面に上記取付部１１の下板１１ｂの下面を積層固着すると共に、その前端には斜め上方に突設した折曲片６ａを備え、また後端の幅方向の一端部には角部を切り欠いた切欠６ｂを備えて構成されている。
【００１６】
この被ガイド部材６を電動鋸４のベース板５に取付けるには、まず図５のように取付部１１の上板１１ａをベース板５の両貫通孔１２に貫通させ、次いで図６のように上板１１ａをベース板５の上面に押し付けるように取付ネジ１３を締め付けることで行われる。このようにして電動鋸４のベース板５に取付けられた被ガイド部材６は、ベース板５の下方で且つ切断刃９の側方位置に配置される。詳しくは、被ガイド部材６の板面はベース板５の下面と対向し、被ガイド部材６の長手方向は切断刃９の円盤面と略平行の位置関係となる。
【００１７】
そして、軒樋２をその長手方向の任意位置で切断するには、軒樋２の長手方向の任意位置にガイド部材３を被着し、電動鋸４のベース板５に被ガイド部材６を取付け、この被ガイド部材６をガイド部材３の摺動溝８に挿入して摺動させながら、回転駆動する切断刃９を軒樋２に押圧することで行われる。このように被ガイド部材６がガイド部材３の摺動溝８に挿入摺動されるので、切断刃９がガイドされて軒樋２の切断が為されるようにされている。詳しくは、この摺動溝８はガイド部材３の周方向に亙って形成してあるので、ガイドを伴った軒樋２の切断を軒樋２の周方向に亙って行わせることが可能にされている。また、被ガイド部材６の幅寸法Ａは摺動溝８の溝壁を構成する両ガイド壁７の対向寸法Ｂと略同寸法に形成されているので、ガタつき無く被ガイド部材６を摺動溝８に摺動でき、且つ電動鋸４の切断刃９の移動方向を摺動溝８の溝方向のみに設定できるから、強い指向性のある安定したガイドを切断刃９に施すことが可能とされている。このように本例では、軒樋２の周方向に亙ってガイドの伴った切断を軒樋２に施すことができ、軒樋２の仕上り良い切断が確保されているのである。
【００１８】
また、本例では、被ガイド部材６の前端に斜め上方に突出する折曲片６ａを備えているので、被ガイド部材６をガイド部材３の摺動溝８内に挿入している状態で、被ガイド部材６の摺動溝８への挿入角度を多少変化させても折曲片６ａを摺動溝８の溝底に接地させ続けることができる。つまり被ガイド部材６の摺動溝８内への挿入状態は維持しつつも被ガイド部材６の摺動溝８への挿入角度は多少変化させ得るようにされているから、軒樋２の切断を適宜負担のかからない楽な姿勢で行うことができるといった利点も有している。
【００１９】
また、従来では、切断刃９を軒樋２に押圧する際に力を入れすぎると、この力がまともに軒樋２に負荷されて軒樋２が変形してしまって軒樋２の仕上り良い切断が行えないこともあったが、本例では、被ガイド部材６が摺動溝８の溝底に接地するので、切断刃９を軒樋２に押圧する力の一部は被ガイド部材６を介してガイド部材３に負荷できるのであり、つまり軒樋２の変形防止が図られており、この点でも軒樋２の仕上り良い切断の確保が図られているのである。
【００２０】
また、本例の軒樋２の切断時における被ガイド部材６と切断刃９との位置関係は、図７のように、被ガイド部材６と切断刃９との間にガイド部材３のガイド壁７を位置させているが、たとえばこのときの切断刃９の位置をその円盤面がガイド壁７の対向しない側の壁面７ａに沿う位置に設定することも好ましい。これによると、軒樋２の長手方向の任意位置に配置したガイド部材３のすぐ脇を切断できるのであり、つまりガイド部材３の軒樋２への取付位置と軒樋２の切断位置とを略同位置にできるから、異なる位置の軒樋２への取付位置と軒樋２の切断位置とを混同することで生じていた施工間違えを根本的に無くすることができ、軒樋２の切断施工の施工性を向上できるのである。
【００２１】
なお、本例ではガイド部材６は長板状に形成されているが、被ガイド部材６の幅寸法Ａを両ガイド壁７の対向寸法Ｂと略同寸法に形成して被ガイド部材６を摺動溝８内に摺動自在に挿入し得るようにしてあれば形状は限定されるものではなく、たとえばブロック状でもよいのは言うまでもない。
【００２２】
また、図８には本発明の実施の形態の他例を示す。この例は、被ガイド部材６をスムーズに摺動溝８に摺動させて軒樋２の切断の作業性を向上させるために、摺動溝８の溝底を構成する溝底片１０をガイド部材３の摺動溝８に亙って形成した例である。この溝底片１０はガイド部材３の周方向に亙る１つの山型円弧状に形成されている。詳しくは、山型円弧状の溝底片１０は、前壁被覆部３２と底壁被覆部３１との角部、後壁被覆部３３と底壁被覆部３１との角部及び段部２６の角部でガイド部材本体３０と接続し、且つ、ガイド部材本体３０を外側から囲むような緩やかな円弧を描くように形成されている。このように溝底片１０で構成される摺動溝８の溝底はガイド部材３の周方向に亙って滑らかに屈曲する連続面に形成されているので、この溝底に沿わせて摺動溝８の周方向に亙って被ガイド部材６を摺動させると、その摺動途中で被ガイド部材６の摺動溝８への挿入角度を急激に変化させるといったことが無く、摺動溝８の周方向に亙って被ガイド部材６を滑らかに連続的に摺動させることができるから、軒樋２を作業性良く切断させることができるのである（図８矢印Ｃ）。
【００２３】
つまり、先の例のように断面角型の軒樋２の形状に合わせてガイド部材３が形成され、ガイド部材本体３０の外面が摺動溝８の溝底を構成するものでは、摺動溝８の周方向の途中に軒樋２の角部に対応する角部分があって被ガイド部材６の摺動溝８への挿入角度を該角部分で急激に変化させねばならないものであったが、この被ガイド部材６の摺動溝８への挿入角度の急激な変更は電動鋸４を持つ作業者に急激な姿勢変更を迫るものであって、作業者に負担がかかるものであった。しかしながら、本例では摺動溝８の溝底がガイド部材３の周方向に亙って滑らかに屈曲する連続面に形成されているので、作業者の負担となる急激な姿勢変更を引き起こす被ガイド部材６の摺動溝８への挿入角度の急激な変更が無くするようされており、軒樋２の切断の作業性を向上させているのである。このように、本例は、断面角型の軒樋２の形状に合わせてガイド部材３が形成される場合など、摺動溝８の周方向の途中に軒樋２の角部に対応する角部分があって被ガイド部材６の摺動溝８への挿入角度をこの角部分で急激に変化させて対応しなければならないといった困難な切断作業が必要とされる場合に、特に有効である。
【００２４】
【発明の効果】
以上説明したように、本発明では、軒樋の切断は、摺動溝がガイド部材の周方向に亙って形成してあるので、ガイドを伴った切断を軒樋の周方向に亙って行わせることができ、また、被ガイド部材の幅寸法が摺動溝の溝壁を構成する両ガイド壁の対向寸法と略同寸法に形成されているので、ガタつき無く被ガイド部材を摺動溝に摺動させ、電動鋸の切断刃に指向性のある安定したガイドを施すことができて、軒樋の仕上り良い切断を周方向に亙って確保できるのである。
【図面の簡単な説明】
【図１】本発明の実施の形態の例の軒樋の切断作業を示す斜視図である。
【図２】同上のガイド部材の斜視図である。
【図３】（ａ）は同上のガイド部材の側面図であり、（ｂ）は（ａ）の正面図である。
【図４】同上の被ガイド部材を示すもので、（ａ）は下面図であり、（ｂ）は側面図であり、（ｃ）は（ａ）のＤ−Ｄ線断面図である。
【図５】同上の被ガイド部材の電動鋸のベース板への取付けを説明する斜視図である。
【図６】同上の被ガイド部材の電動鋸のベース板への取付けを説明する斜視図である。
【図７】同上の切断刃と被ガイド部材との位置関係を説明する概略正面図である。
【図８】本発明の実施の形態の他例を示し、（ａ）はガイド部材の側面図であり、（ｂ）は（ａ）の正面図である。
【図９】従来技術の例を示し、（ａ）はガイド部材の側断面図であり、（ｂ）は正面図である。
【図１０】従来技術の他例を示し、ガイド部材を軒樋に配置した状態の斜視図である。
【符号の説明】
１  軒樋切断治具
２  軒樋
３  ガイド部材
４  電動鋸
５  ベース板
６  被ガイド部材
７  ガイド壁
８  摺動溝
９  切断刃
１０  溝底片
【図１】
2005016115.tif 000003
【図２】
2005016115.tif 000004
【図３】
2005016115.tif 000005
【図４】
2005016115.tif 000006
【図５】
2005016115.tif 000007
【図６】
2005016115.tif 000008
【図７】
2005016115.tif 000009
【図８】
2005016115.tif 000010
【図９】
2005016115.tif 000011
【図１０】
2005016115.tif 000012